(57)【特許請求の範囲】
【請求項１】
画像を表示するヘッドマウント型の画像表示装置と、
光源を有し、前記画像表示装置とは別体に構成された光供給装置と、
前記光供給装置から前記画像表示装置に光を伝送する光伝送手段と、を備え、
前記光供給装置および前記画像表示装置のいずれかは、前記光源から出射された光を変調する光変調装置を備え、
前記画像表示装置は、
スクリーンと、
前記光変調装置により変調された光を前記スクリーンに投射する投射光学装置と、を備え、
前記スクリーンは、凹曲面状に形成された観察者の両目を覆うスクリーンであり、
前記投射光学装置は、前記スクリーンに対向して配置され、
前記画像表示装置は、前記スクリーンと前記投射光学装置とを内部に設けた画像表示部と、前記画像表示部からそれぞれ延設されたテンプル部と、を有し、
前記テンプル部は、内部に中空部分が設けられ、先端部が下方に向けて曲がった形状を有し、
前記光伝送手段は、前記先端部から前記中空部分を介して前記投射光学装置まで観察者の頭部に沿って配置され、
前記テンプル部の少なくとも一部と前記画像表示部の端縁は、前記端縁と前記観察者の頭部との隙間が小さくなるように前記観察者の頭部に沿って形成され、
前記テンプル部の少なくとも一部と前記画像表示部は、前記観察者の頭部に沿って前記観察者の頭部を覆っている
ことを特徴とする画像表示システム。
【請求項２】
請求項１に記載の画像表示システムにおいて、
前記スクリーンは、１枚のスクリーンであり、
前記画像表示装置は、前記観察者の両目を覆う曲面形状を有し、前記曲面形状の内面に前記スクリーンが設けられ、
前記投射光学装置は、前記観察者の左右の目の間に位置し、前記観察者の頭部に沿って前記画像表示部の略中央部に配置され、
前記スクリーンは、前記画像表示部の略中央部に配置された前記投射光学装置により、画像が投射される
ことを特徴とする画像表示システム。
【請求項３】
請求項１に記載の画像表示システムにおいて、
前記スクリーンは、１枚のスクリーンであり、
前記画像表示装置は、前記観察者の両目を覆う曲面形状を有し、前記曲面形状の内面に前記スクリーンが設けられ、
前記投射光学装置は、前記観察者の左右の目の両端に位置し、前記観察者の頭部に沿って前記画像表示部の両側に配置され、
前記スクリーンは、前記画像表示部の両側に配置された一方の前記投射光学装置により、最終的に前記スクリーンに投射される画像の略半分の画像を投射し、他方の投射光学装置により残り半分の画像を投射する
ことを特徴とする画像表示システム。
【請求項４】
請求項３に記載の画像表示システムにおいて、
前記投射光学装置は、それぞれの画像の一部が前記スクリーンの略中央部で互いに重なり合うように画像を投射する
ことを特徴とする画像表示システム。
【請求項５】
請求項４に記載の画像表示システムにおいて、
前記投射光学装置が投射するそれぞれの画像の重なり合う部位の輝度が高くならないように当該部位に対してブレンド処理を行うブレンド処理部を備える
ことを特徴とする画像表示システム。
【請求項６】
請求項１から請求項５のいずれかに記載の画像表示システムにおいて、
前記光変調装置は、前記光供給装置に設けられている
ことを特徴とする画像表示システム。
【請求項７】
請求項１から請求項６までのいずれか一項に記載の画像表示システムにおいて、
前記光供給装置は、記憶部と画像処理部と表示制御部とを有し、
前記記憶部は、フレームメモリー領域とバッファー領域とを有し、
前記画像処理部は、表示する画像をバッファー領域に記憶するとともに、前記スクリーンに投射する画像に歪みが生じないように画像を補正する補正処理を行い、前記フレームメモリー領域に記憶し、
前記表示制御部は、前記フレームメモリー領域に記憶された画像に応じた画像信号に基づいて前記光変調装置により画像を形成して前記光伝送手段に出力する
ことを特徴とする画像表示システム。
【請求項８】
請求項１から請求項７のいずれかに記載の画像表示システムにおいて、
前記スクリーンは、反射型スクリーンである
ことを特徴とする画像表示システム。
【請求項９】
請求項１から請求項７のいずれかに記載の画像表示システムにおいて、
前記スクリーンは、透過型スクリーンである
ことを特徴とする画像表示システム。
【請求項１０】
光源を有する光供給装置、及び前記光供給装置からの光を伝送する光伝送手段とともに用いられる、画像を表示するヘッドマウント型の画像表示装置であって、
スクリーンと、
外部から入力される光を前記スクリーンに投射する投射光学装置と、を備え、
前記スクリーンは、凹曲面状に形成された観察者の両目を覆うスクリーンであり、
前記投射光学装置は、前記スクリーンに対向して配置され、
前記画像表示装置は、前記スクリーンと前記投射光学装置とを内部に設けた画像表示部と、前記画像表示部からそれぞれ延設されたテンプル部と、を有し、
前記テンプル部は、内部に中空部分が設けられ、先端部が下方に向けて曲がった形状を有し、前記先端部から前記中空部分を介して前記投射光学装置まで観察者の頭部に沿って前記光伝送手段が配置され、
前記テンプル部の少なくとも一部と前記画像表示部の端縁は、前記端縁と前記観察者の頭部との隙間が小さくなるように前記観察者の頭部に沿って形成され、
前記テンプル部の少なくとも一部と前記画像表示部は、前記観察者の頭部に沿って前記観察者の頭部を覆っている
ことを特徴とする画像表示装置。
【発明の詳細な説明】
【技術分野】
【０００１】
本発明は、画像表示システムおよび画像表示装置に関する。
【背景技術】
【０００２】
従来、眼鏡のような外観を有し、ＬＣＤ（Liquid Crystal Display）等の表示素子にて形成された画像を光学系により観察者に観察させるヘッドマウント型の画像表示装置が提案されている（例えば、特許文献１参照）。
特許文献１に記載の画像表示装置は、光源、表示部（ＬＣＤ等）、および画像処理部等を有する画像生成ユニットと、拡大レンズとが眼鏡フレームに固定された構造を有する。この画像表示装置において、画像処理部により形成され表示部に表示された画像は、拡大レンズで拡大されて観察者により観察される。
【先行技術文献】
【特許文献】
【０００３】
【特許文献１】特開２００３−３２９９６５号公報
【発明の概要】
【発明が解決しようとする課題】
【０００４】
しかしながら、特許文献１に記載の画像表示装置は、光源を含む画像生成ユニットが眼鏡フレームに固定された構造を有するため、画像表示装置が重く、装着者である画像の観察者の負担が大きいという問題がある。
【０００５】
本発明の目的は、観察者の負担を軽減できる画像表示システムおよび画像表示装置を提供することにある。
【課題を解決するための手段】
【０００６】
本発明の画像表示システムは、画像を表示するヘッドマウント型の画像表示装置と、光源を有し、前記画像表示装置とは別体に構成された光供給装置と、前記光供給装置から前記画像表示装置に光を伝送する光伝送手段とを備え、前記光供給装置および前記画像表示装置のいずれかは、前記光源から出射された光を変調する光変調装置を備え、前記画像表示装置は、スクリーンと、前記光変調装置により変調された光を前記スクリーンに投射する投射光学装置とを備え、スクリーンは、凹曲面状に形成された観察者の両目を覆うスクリーンであり、投射光学装置は、スクリーンに対向して配置され、画像表示装置は、スクリーンと投射光学装置とを内部に設けた画像表示部と、画像表示部からそれぞれ延設されたテンプル部と、を有し、テンプル部は、内部に中空部分が設けられ、先端部が下方に向けて曲がった形状を有し、光伝送手段は、テンプル部の先端部から中空部分を介して前記投射光学装置まで観察者の頭部に沿って配置され、テンプル部の少なくとも一部と画像表示部の端縁は、端縁と観察者の頭部との隙間が小さくなるように観察者の頭部に沿って形成され、テンプル部の少なくとも一部と画像表示部は、観察者の頭部に沿って観察者の頭部を覆っていることを特徴とする。
【０００７】
本発明によれば、重量が大きい光源が、画像表示装置とは別体に構成された光供給装置に設けられているため、画像表示装置の重量を低減することができる。このため、ヘッドマウント型の画像表示装置を装着する観察者の負担を軽減できる。また、スクリーンが、凹曲面状に形成された観察者の両目を覆うスクリーンであり、投射光学装置は、スクリーンに対向して配置され、画像表示装置は、スクリーンと投射光学装置とを内部に設けた画像表示部を有するため、スクリーンにレンズ効果を持たせたり、投射光学装置をスクリーンよりも内側の空間に配置したりすることで、画像表示装置を小型化することができるので、画像表示装置のより一層の軽量化を図ることができる。また、画像表示部からそれぞれ延設されたテンプル部を有し、テンプル部は、内部に中空部分が設けられ、先端部が下方に向けて曲がった形状を有し、光伝送手段は、テンプル部の先端部から中空部分を介して前記投射光学装置まで観察者の頭部に沿って配置されるため、観察者が画像表示装置を装着した際に、光伝送手段が観察者の顔にあたることがなく、観察者に不快感を与えることがない。また、テンプル部の少なくとも一部と画像表示部の端縁は、端縁と観察者の頭部との隙間が小さくなるように観察者の頭部に沿って形成され、テンプル部の少なくとも一部と画像表示部は、観察者の頭部に沿って観察者の頭部を覆っているため、スクリーンの周辺を暗くすることができ、スクリーン上に投射された画像を視認するにあたって、当該画像の輝度を高めることができる。さらに、高輝度発光する光源装置を採用しなくても十分な輝度の画像を視認させることができるので、光源装置の消費電力を低減することができる。
【０００８】
本発明では、前記スクリーンは、前記画像表示装置が観察者の頭部に装着された状態で観察者の全視野を覆うことが好ましい。
本発明によれば、画像表示装置のスクリーンは、画像表示装置が観察者の頭部に装着された状態で観察者の全視野を覆うため、観察者の全視野に対して画像を投射することができる。このため、従来の画像表示装置と比較して高い臨場感を観察者に提供することができる。
【０００９】
本発明では、前記光変調装置は、前記光供給装置に設けられていることが好ましい。
本発明によれば、光変調装置が光供給装置に設けられているため、光変調装置を画像表示装置に設ける必要がなく、画像表示装置を小型化及び軽量化できる。また、このような構成により、画像処理を行う画像処理装置を画像表示装置に設ける必要もなく、更に、光変調装置及び当該画像処理部に駆動電力を供給する電源を設ける必要もない。従って、画像表示装置をより軽量化できる。
さらに、光変調装置および画像処理装置を画像表示装置に設ける必要がないため、画像表示装置の処理負担を軽減できる。
【００１０】
本発明では、前記スクリーンは、反射型スクリーンであり、前記投射光学装置は、前記スクリーンに対向配置されていることが好ましい。
本発明によれば、スクリーンが反射型スクリーンであるため、投射光学装置の構成を簡素化できる。また、投射光学装置をスクリーンに対向配置したため、投射光学装置をスクリーンよりも内側の空間に配置できる。従って、画像表示装置を小型化及び一層の軽量化を図ることができる。
【００１１】
本発明の画像表示装置は、画像を表示するヘッドマウント型の画像表示装置であって、スクリーンと、外部から入力される光を前記スクリーンに投射する投射光学装置とを備えることを特徴とする。
本発明によれば、前述した効果を奏する画像表示装置を得ることができる。
【図面の簡単な説明】
【００１２】
【図１】本発明の第１実施形態に係る画像表示システムの使用形態を示す図。
【図２】前記第１実施形態に係る画像表示システムの構成を示すブロック図。
【図３】前記第１実施形態に係る画像表示装置の上面図。
【図４】本発明の第２実施形態に係る画像表示装置の上面図。
【図５】本発明の第３実施形態に係る画像表示システムの構成を示すブロック図。
【発明を実施するための形態】
【００１３】
〔第１実施形態〕
以下、本発明の第１実施形態を図面に基づいて説明する。
〔画像表示システムの構成〕
図１は、本実施形態に係る画像表示システム１の使用形態を示す図である。
本実施形態に係る画像表示システム１は、図１に示すように、光供給装置としての画像供給装置２と、画像表示装置３と、画像供給装置２と画像表示装置３とを接続する光伝送手段としての光ファイバー４とを備えている。この画像表示システム１において、画像供給装置２は、光ファイバー４を介して画像（より詳しくは、当該画像に基づく光学像）を画像表示装置３に供給し、画像表示装置３は、画像供給装置２から供給された画像を投射表示する。
【００１４】
〔画像供給装置の構成〕
図２は、画像表示システム１の構成を示すブロック図である。
画像供給装置２は、画像表示装置３とは別体に構成されている。この画像供給装置２は、光源からの光を変調して、当該画像供給装置２内に記憶された画像情報や、図示しない外部機器から受信された画像情報に応じた画像を形成し、当該画像を光ファイバー４を介して画像表示装置３に供給する。なお、外部機器としては、ＰＣ（Personal Computer）、各種ディスク型記録媒体の再生装置、画像を予め記憶した半導体メモリーやＨＤＤ（Hard Disk Drive）等の記録装置が挙げられる。
このような画像供給装置２は、図２に示すように、画像受信手段２１、画像形成手段２２、および制御手段２３を備えている。
【００１５】
画像受信手段２１は、前述の外部機器と接続される接続端子、半導体メモリーカードやＵＳＢ（Universal Serial Bus）メモリー等の記録装置と接続される接続端子の他、他の外部機器（図示省略）と無線で通信する無線通信装置とを備え、これらから送信される画像情報（画像信号及び画像データを含む）を受信する。そして、当該画像受信手段２１は、受信した画像情報を制御手段２３に出力する。すなわち、画像受信手段２１は、複数の入力ソースと接続可能であり、これにより、複数の入力系統を有している。このような画像受信手段２１が有する接続端子としては、ＵＳＢ端子を挙げることができる他、Ｄ−Ｓｕｂ（D-subminiature）端子、ＤＶＩ（Digital Visual Interface）端子及びＨＤＭＩ（High-Definition Multimedia Interface）端子を例示できる。
【００１６】
画像形成手段２２は、制御手段２３の制御の下、当該制御手段２３から入力される画像信号に応じた画像を形成して、当該画像を光ファイバー４に出力する。この画像形成手段２２は、光源としての光源装置２２１、光変調装置２２２、および縮小光学装置２２３を有する。
【００１７】
光源装置２２１は、高圧水銀ランプ等の光源ランプ及び反射鏡であるリフレクター、或いはＬＥＤ等の固体光源を備え、光変調装置２２２に光束を出射する。
光変調装置２２２は、光源装置２２１から出射された光束を変調して画像を形成する。この光変調装置２２２は、本実施形態では、液晶パネルと、当該液晶パネルを駆動させるドライバーとを備えた構成であるが、この構成に限らない。例えば、マイクロミラーを用いたデバイス等、液晶パネル以外の構成を有する光変調装置を採用してもよい。
縮小光学装置２２３は、光変調装置２２２により形成された画像を光ファイバー４の端面上に縮小する。
【００１８】
制御手段２３は、ＣＰＵ（Central Processing Unit）、ＲＯＭ（Read Only Memory）、およびＲＡＭ（Random Access Memory）等の回路素子が実装された回路基板として構成され、当該ＲＯＭに記憶されたプログラム及びデータをＣＰＵが処理することにより、装置全体の動作を制御する。このような制御手段２３は、ＲＯＭ及びＲＡＭにより構成された記憶部２３１を有する他、ＣＰＵの機能部としての画像処理部２３２および表示制御部２３３を有する。
【００１９】
記憶部２３１は、前述の各種プログラム及びデータを記憶する記憶領域の他、フレームメモリー領域およびバッファー領域を有する。
画像処理部２３２は、画像受信手段２１により受信された画像情報を処理し、フレーム毎の画像をフレームメモリー領域に描画する。具体的に、画像処理部２３２は、まず、受信された１フレーム分の画像をバッファー領域に描画する。この後、表示制御部２３３により、１フレーム分の画像信号がフレームメモリー領域から読み込まれて画像形成手段２２に出力されると、画像処理部２３２は、バッファー領域に描画した画像をフレームメモリー領域に描画する。この際、画像処理部２３２は、後述する画像表示装置３のスクリーン３１３に画像が投射された場合に、当該画像に歪みが生じないように補正する補正処理を行う。
表示制御部２３３は、画像処理部２３２によりフレームメモリー領域に描画された画像に応じた画像信号を画像形成手段２２に出力して、当該画像を形成させる。
【００２０】
〔画像表示装置の構成〕
図３は、画像表示装置３の上面図である。
画像表示装置３は、眼鏡のような外観を有したいわゆるヘッドマウントディスプレイであり、当該画像表示装置３を装着した観察者Ｐに対して、画像供給装置２から供給される画像を視認させる。
【００２１】
画像表示装置３は、図３に示すように、フレーム部３１と、投射光学装置３２とを備えている。
フレーム部３１は、中央に位置する画像表示部３１１と、画像表示部３１１の両端からそれぞれ同方向に延設されたテンプル部３１２とを備えている。
【００２２】
このうち、各テンプル部３１２は、観察者Ｐの両耳で支持される部分であり、先端部が下方に向けて曲がった形状を有している。これらテンプル部３１２内は中空とされ、この中空部分に前述の光ファイバー４が挿通され、投射光学装置３２まで引き込まれている。これにより、観察者Ｐが画像表示装置３を装着した際に、光ファイバー４が観察者Ｐの顔に当たることがなく、観察者Ｐに不快感を与えることがない。
【００２３】
画像表示部３１１は、観察者Ｐの両目を覆う形状とされ、全体的に曲面形状を有する。この画像表示部３１１の端縁は観察者Ｐの顔に沿うように形成されており、当該端縁と観察者Ｐの顔との隙間が可能な限り小さくなるようになっている。
このような画像表示部３１１の内面には、画像供給装置２から供給された画像が投影されるスクリーン３１３が設けられている。このスクリーン３１３は、凹曲面状に形成されており、画像表示装置３が観察者Ｐの頭部に装着された状態で観察者Ｐの全視野を覆うように構成されている。このスクリーン３１３は、投射光学装置３２により入射した投射光を当該スクリーン３１３の正面方向（すなわち、観察者Ｐ側）に反射させる反射型スクリーンである。
【００２４】
投射光学装置３２は、光ファイバー４を通ってきた画像をスクリーン３１３上に拡大投射する投射レンズを備えている。この投射光学装置３２は、本実施形態では、画像表示部３１１の略中央部に設けられた１つの投射光学装置３２がスクリーン３１３に対向配置されており、当該投射光学装置３２でスクリーン３１３の全面に画像を投射するようになっている。なお、投射光学装置３２は、画像表示部３１１の略中央部に配置される構成に限らず、スクリーン３１３の全面に画像を投射可能であれば、当該投射光学装置３２の配置位置は適宜変更可能である。
【００２５】
以上説明した本実施形態に係る画像表示システム１によれば、以下の作用効果がある。
すなわち、光源装置２２１や光変調装置２２２が、画像表示装置３とは別体に構成された画像供給装置２に設けられていることにより、これら装置２２１，２２２を画像表示装置３に設ける必要がない。このため、画像表示装置３の小型化及び軽量化を図ることができる。
【００２６】
画像表示装置３は、当該画像表示装置３が観察者Ｐの頭部に装着された状態で、スクリーン３１３が観察者Ｐの全視野を覆うように形成されているため、観察者Ｐの全視野に対して画像を投射することができる。このため、臨場感を高めることができる。
さらに、スクリーン３１３に画像を表示する構成であるため、例えば、液晶パネルに画像を表示する場合に比べて、容易に観察者Ｐの視野に合わせた形状とすることができる。
【００２７】
画像表示装置３では、スクリーン３１３を反射型としたため、スクリーン３１３を透過型にした場合と異なり、スクリーン３１３を覆うように投射光学装置を設ける必要がない。このため、投射光学装置３２を小型化することができる。さらに、投射光学装置３２をスクリーン３１３に対向配置したため、投射光学装置３２をスクリーン３１３よりも内側の空間に配置することができる。従って、画像表示装置３を小型化することができるので、画像表示装置３の一層の軽量化を図ることができる。
【００２８】
また、画像表示部３１１の端縁は観察者Ｐの顔に沿うように形成され、当該端縁と観察者Ｐの顔との隙間が小さくなるようになっているため、スクリーン３１３の周辺を暗くすることができる。従って、スクリーン３１３上に投射された画像を視認するにあたって、当該画像の輝度を高めることができる。また、これにより、高輝度発光する光源装置２２１を採用しなくても十分な輝度の画像を視認できるので、光源装置２２１の消費電力を低減できる。
【００２９】
〔第２実施形態〕
次に、本発明の第２実施形態に係る画像表示システムについて説明する。
本実施形態に係る画像表示システムは、前述の画像表示システム１と同様の構成を有するが、画像表示装置に設けられる投射光学装置の数および配置が、第１実施形態の場合と相違する。なお、第２実施形態以降の説明にあたり、第１実施形態と同様の構成については、同符号を付し、その説明を省略または簡略する。
【００３０】
図４は、第２実施形態に係る画像表示装置３Ａの上面図である。
本実施形態の画像表示装置３Ａでは、画像表示部３１１の両側に投射光学装置３２が配置されている。この画像表示装置３Ａにおいて、一方の投射光学装置３２は、スクリーン３１３の右半分に最終的な画像の略半分の画像（右画像）を投射し、他方の投射光学装置３２は、スクリーン３１３の左半分に残り半分の画像（左画像）を投射する。この際、各投射光学装置３２は、それぞれの画像の一部がスクリーン３１３の略中央部で互いにオーバーラップするように画像を投射する。
【００３１】
これに伴い、画像供給装置２の画像形成手段２２は、制御手段２３の制御の下、左右に分割された画像を形成する。この際、画像処理部２３２は、右画像及び左画像が投射された場合に、オーバーラップする部位の輝度が高くならないように、当該部位をブレンド処理した右画像及び左画像を描画する。
また、画像供給装置２と画像表示装置３とは、２本の光ファイバー４で接続されており、画像形成手段２２は、右画像及び左画像をそれぞれ対応する光ファイバー４に出力する。
【００３２】
本実施形態に係る画像表示システムによれば、画像表示システム１と同様の効果がある他、以下の効果がある。
すなわち、分割された右画像及び左画像を２つの投射光学装置３２でそれぞれ投射するので、投射光学装置３２による画像の拡大率を小さくすることができる。このため、スクリーン３１３の画像の輝度を高めることができる。
【００３３】
〔第３実施形態〕
次に、第３実施形態に係る画像表示システム１Ｂについて説明する。
本実施形態に係る画像表示システムは、画像表示装置が光変調装置を有する他、画像情報（信号およびデータを含む）を伝送する画像情報伝送手段により、画像供給装置と画像表示装置とが接続されている点で、前述の画像表示システムと相違する。
【００３４】
本実施形態に係る画像表示システム１Ｂは、図５に示すように、画像供給装置２Ｂ、画像表示装置３Ｂ、光ファイバー４及び画像情報伝送手段５を備える。
このうち、画像情報伝送手段５としては、デジタル信号を伝送可能とするものであれば、いずれの構成でも採用でき、例えば、ＵＳＢケーブルやＬＡＮ(Local Area Network)ケーブル等の有線でデジタル信号を伝送する各規格の他、無線媒体（電波、音、赤外線等）を介してデジタル信号を伝送する規格も含むものでもよい。
【００３５】
画像供給装置２Ｂは、画像受信手段２１と、光源装置２２１及び縮小光学装置２２３と、制御手段２３とを備える。
これらのうち、縮小光学装置２２３は、光源装置２２１から出射された光束を光ファイバー４の端面上に集光し、当該光を光ファイバー４に出力する。
また、制御手段２３の表示制御部２３３は、フレームメモリー領域に描画された画像に応じた画像信号を画像情報伝送手段５を介して画像表示装置３Ｂに出力する。
【００３６】
画像表示装置３Ｂは、光変調装置３３を更に備える他は、画像表示装置３と同様の構成を有する。光変調装置３３は、第１実施形態の光変調装置２２２と同じ構成としてもよく、異なる構成としてもよい。
そして、画像表示装置３Ｂでは、画像情報伝送手段５を介して入力される画像信号に応じて、光変調装置３３が光ファイバー４を通ってきた光束を変調することで画像が形成される。そして、投射光学装置３２は、当該画像をスクリーン３１３上に拡大投射する。
【００３７】
以上のような画像表示システム１Ｂによっても、前述した第１実施形態の作用効果を奏することができる。なお、本実施形態においては、画像表示装置３と同様に、画像表示装置３Ｂは、１つの投射光学装置３２によりスクリーン３１３に画像を投射する構成であったが、画像表示装置３Ａのように、２つの投射光学装置により画像を投射する構成としてもよい。
【００３８】
〔実施形態の変形〕
本発明は前述の実施形態に限定されるものではなく、本発明の目的を達成できる範囲での変形、改良等は本発明に含まれるものである。
例えば、前記各実施形態では、スクリーン３１３は、投射光学装置３２から投射された光を反射する反射型スクリーンとして構成されていたが、本発明はこれに限らない。すなわち、背面側から入射される光を透過させて、当該光により形成される画像を表示する透過型スクリーンとして構成してもよい。
【００３９】
前記各実施形態では、光伝送手段として光ファイバー４が用いられているが、画像供給装置２から画像表示装置３に光を伝送するものであれば、いずれの構成でも採用できる。この光伝送手段としては、例えば、光ファイバー４等の有線で光を伝送する構成の他、無線で光を伝送する構成であってもよい。
【００４０】
前記第２実施形態では、一部がオーバーラップするように右画像及び左画像を表示したが、本発明はこれに限らない。例えば、右目により視認される画像の表示領域と、左目により視認される画像の表示領域とを分けてもよい。この場合、例えば、それぞれの表示領域に視差画像である右目用画像及び左目用画像を表示する構成としてもよい。
【産業上の利用可能性】
【００４１】
本発明は、ヘッドマウント型の画像表示装置を備えた画像表示システムに利用できる。
【符号の説明】
【００４２】
１…画像表示システム、２…画像供給装置（光供給装置）、３…画像表示装置、４…光ファイバー（光伝送手段）、３２…投射光学装置、２２１…光源装置（光源）、２２２…光変調装置、３１３…スクリーン、Ｐ…観察者。
【図１】
0005891601.tif 000002
【図２】
0005891601.tif 000003
【図３】
0005891601.tif 000004
【図４】
0005891601.tif 000005
【図５】
0005891601.tif 000006